(57)【要約】      （修正有）【課題】多機能化したシステム電子手帳を提供する。【解決手段】システム手帳本体に対して表面シート部材２Ａ及び裏面シート部材２Ｂ間に、システム手帳用紙７と共に携帯型情報処理装置１１を保持する携帯型情報処理装置用台紙１３を綴じ込むようになされたシステム電子手帳１において、携帯型情報処理装置用台紙１３にその長さ方向と交差する方向にヒンジ機構１５を設けることによって、表面シート部材２Ａを裏面シート部材２Ｂに対して閉じた状態において、保持した携帯型情報処理装置１１を表面シート部材２Ａ及び裏面シート部材２Ｂ間に無駄な空間を形成させないようにでき、また表面シート部材２Ａを裏面シート部材２Ｂの後ろ側に折り返した状態において、携帯型情報処理装置１１を裏面シート部材２Ｂの面上にユーザが使用し易い状態で露出させるようにできる。【選択図】図８
0003197556.tif 000002
【実用新案登録請求の範囲】
【請求項１】
表面シート部材及び裏面シート部材間に、システム手帳用紙と、携帯型情報処理装置を保持する携帯型情報処理装置用台紙とをバインダによって綴じ込む構成のシステム手帳本体を有し、
上記携帯型情報処理装置用台紙は、上記バインダに係止されるバインダ取付孔を上記バインダに綴じ込んだとき、上記バインダ取付孔とほぼ平行に形成された溝を有するヒンジ機構によって厚み方向に折れ曲ることにより、保持された上記携帯型情報処理装置を上記裏面シート部材の面に対してほぼ平行になるように上記表面シート部材及び上記裏面シート部材間に保持させる
ことを特徴とするシステム電子手帳。
【請求項２】
表面シート部材及び裏面シート部材間に、システム手帳用紙と、携帯型情報処理装置を保持する携帯型情報処理装置用台紙とをバインダによって綴じ込む構成のシステム手帳本体を有し、
上記携帯型情報処理装置用台紙は、上記バインダに係止されるバインダ取付孔を上記バインダに綴じ込んだ状態で、上記バインダ取付孔とほぼ平行に形成された溝を有するヒンジ機構によって厚み方向に折れ曲るように構成され、
ユーザが上記システム手帳本体の上記表面シート部材を上記裏面シート部材から開くように上記裏面シート部材の後ろ側に折り返したとき、上記携帯型情報処理装置用台紙は、上記ヒンジ機構によって厚み方向に折れ曲ることにより、上記携帯型情報処理装置を上記裏面シート部材の面上に露出させるように保持する
ことを特徴とするシステム電子手帳。
【請求項３】
上記ヒンジ機構は、上記バインダ取付孔に対してほぼ平行な１本の溝を有する
ことを特徴とする請求項１及び２のいずれかに記載のシステム電子手帳。
【請求項４】
上記ヒンジ機構の上記溝は、上記携帯型情報処理装置用台紙の両面又は片面に形成されている
ことを特徴とする請求項１及び２のいずれかに記載のシステム電子手帳。
【請求項５】
表面シート部材及び裏面シート部材間に、システム手帳用紙と、携帯型情報処理装置を保持する携帯型情報処理装置用台紙とをバインダによって綴じ込む構成のシステム手帳本体を有し、
上記携帯型情報処理装置用台紙は、上記バインダに係止されるバインダ取付孔を有するバインダ取付孔領域が、長さ方向に、ヒンジ機構を通ってスマートフォン取付領域に連接され、上記バインダ取付孔領域の長さ方向の長さは、上記システム手帳用紙の厚さに対応する値に選定され、
ユーザが上記システム手帳本体の上記表面シート部材を上記裏面シート部材から開くように上記裏面シート部材の後ろ側に折り返したとき、上記携帯型情報処理装置用台紙は、上記システム手帳用紙の厚さに対応する長さ位置にある上記ヒンジ機構によって厚み方向に折れ曲ることにより、上記携帯型情報処理装置を、上記裏面シート部材の面に沿う状態で当該面上に露出させるように保持する
ことを特徴とするシステム電子手帳。
【請求項６】
表面シート部材及び裏面シート部材間に、システム手帳用紙と、携帯型情報処理装置を保持する携帯型情報処理装置用台紙とをバインダによって綴じ込む構成のシステム手帳本体を有し、
上記携帯型情報処理装置用台紙は、上記バインダに係止されるバインダ取付孔を有するバインダ取付孔領域が、長さ方向に、上記ヒンジ機構を通ってスマートフォン取付領域に連接され、
上記ヒンジ機構は、上記長さ方向に順次複数の溝を配列したフレキシブルヒンジ機構の構成を有し、
ユーザが上記システム手帳本体の上記表面シート部材を上記裏面シート部材から開くように上記裏面シート部材の後ろ側に折り返したとき、上記携帯型情報処理装置用台紙が上記複数の溝の位置で少しずつ折れ曲ることにより、上記裏面シート部材の折り返し湾曲部分に沿って折れ曲る結果、上記携帯型情報処理装置を上記裏面シート部材の面に沿う状態で当該面上に露出させるように保持する
ことを特徴とするシステム電子手帳。
【請求項７】
表面シート部材及び裏面シート部材間に、システム手帳用紙と、携帯型情報処理装置を保持する携帯型情報処理装置用台紙とをバインダによって綴じ込む構成のシステム手帳本体を有し、
上記携帯型情報処理装置用台紙は、上記バインダに係止されるバインダ取付孔を有するバインダ取付孔領域が、長さ方向に、上記ヒンジ機構を通ってスマートフォン取付領域に連接され、
上記ヒンジ機構は、上記バインダ取付孔領域及び上記スマートフォン取付領域間において、当該バインダ取付孔領域及びスマートフォン取付領域の折曲り抗力より小さい折曲り抗力を有する材質の連接材料で構成され、
ユーザが上記システム手帳本体の上記表面シート部材を上記裏面シート部材から開くように上記裏面シート部材の後ろ側に折り返したとき、折曲り抗力が小さい上記連接材料が折れ曲ることにより上記携帯型情報処理装置を上記裏面シート部材の面に沿う状態で当該面上に露出させるように保持する
ことを特徴とするシステム電子手帳。
【請求項８】
折曲り抗力が小さい上記連接材料は、折曲り抗力が大きい上記バインダ取付孔領域及び上記スマートフォン取付領域とは異なる材料で構成されている
ことを特徴とする請求項７に記載のシステム電子手帳。
【請求項９】
上記携帯型情報処理装置は、折曲り抗力が小さい第１の板材料と、折曲り抗力が大きい第２の板材料とを互いに重ね合わせた構成を有し、上記第２の板材料の上記連接材料を形成する部分を切り落とすことにより折曲り抗力が小さい上記第１の板材料によって上記ヒンジ機構としてのヒンジ動作をする
ことを特徴とする請求項８に記載のシステム電子手帳。
【請求項１０】
表面シート部材及び裏面シート部材間に、システム手帳用紙と、携帯型情報処理装置を保持する携帯型情報処理装置用台紙とをバインダによって綴じ込む構成のシステム手帳本体を有し、
上記携帯型情報処理装置用台紙は、上記バインダに係止されるバインダ取付孔を上記バインダに綴じ込んだとき、上記バインダ取付孔とほぼ平行に形成された第１及び第２の折曲げ溝を有するヒンジ機構によって厚み方向に折れ曲るように構成され、
ユーザが上記システム手帳本体の上記表面シート部材を上記裏面シート部材から第１の状態に開くように上記裏面シート部材の後ろ側に折り返したとき、上記携帯型情報処理装置用台紙は、上記ヒンジ機構の上記第１の折曲げ溝によって厚み方向に第１の折曲げ量だけ折れ曲がることにより、上記携帯型情報処理装置を上記裏面シート部材の面上に露出させるように第１の保持状態に保持させ、
上記表面シート部材を上記第１の状態よりさらに深い第２の状態に開くように上記裏面シート部材の後ろ側に折り返したとき、上記携帯型情報処理装置用台紙は、上記ヒンジ機構の上記第２の折曲げ溝によって厚み方向に第２の折曲げ量だけ折れ曲がることにより、上記携帯型情報処理装置を上記裏面シート部材の深い上記第２の状態にまで折り返す
ことを特徴とするシステム電子手帳。
【請求項１１】
表面シート部材及び裏面シート部材間に、システム手帳用紙と、携帯型情報処理装置を保持する携帯型情報処理装置用台紙とをバインダによって綴じ込む構成のシステム手帳本体を有し、
上記携帯型情報処理装置用台紙は、上記バインダに係止されるバインダ取付孔を上記バインダに綴じ込んだとき、上記バインダ取付孔とほぼ平行に形成された折曲げ溝を有するヒンジ機構によって厚み方向に折れ曲がるように構成され、
上記携帯型情報処理装置用台紙は、上記ヒンジ機構の近傍位置に、上記バインダ取付孔とほぼ平行にユーザが上記携帯型情報処理装置用台紙の上記バインダ取付孔を上記バインダの開閉式リングに綴じ込む作業をする際に、ユーザの指が上記開閉式リングに近づくことを干渉する保護用壁部材を形成した
ことを特徴とするシステム電子手帳。
【請求項１２】
表面シート部材及び裏面シート部材間に、システム手帳用紙と、携帯型情報処理装置を保持する携帯型情報処理装置用台紙とをバインダによって綴じ込む構成のシステム手帳本体を有し、
上記携帯型情報処理装置用台紙は、上記バインダに係止されるバインダ取付孔を上記バインダに綴じ込んだとき、上記バインダ取付孔とほぼ平行に形成された第１及び第２の折曲げ溝を有するヒンジ機構によって厚み方向に折れ曲るように構成され、
ユーザは、上記システム手帳本体の上記表面シート部材を上記裏面シート部材から開いて、ほぼ水平状態に維持すると共に、上記携帯型情報処理装置用台紙上に取り付けられた携帯型情報処理装置を上下方向に立ち上げるように上記バインダを中心として回動させたとき、上記携帯型情報処理装置用台紙の上記第１及び第２の折曲げ溝のいずれか一方又は両方が折曲げ動作することにより、上記携帯型情報処理装置の下端部が上記システム手帳用紙上に対接した状態で、当該携帯型情報処理装置が操作面をユーザが使用できるように立設保持される
ことを特徴とするシステム電子手帳。
【考案の詳細な説明】
【技術分野】
【０００１】
本考案はシステム電子手帳に関し、特に携帯電話機、スマートフォンなどの携帯型情報処理装置をシステム手帳用紙と共に綴じ込んだものに適用して好適なものである。
【背景技術】
【０００２】
従来、システム電子手帳として、複数のシート状ないし板状のバインダ部材に電子情報処理部を構成する複数の電子情報処理部材を分割して配設させて、バインダ型のシステム手帳本体部に綴じ込んだ構成のものが提案されている（特許文献１〜３参照）。
【先行技術文献】
【特許文献】
【０００３】
【特許文献１】特開平３−９８１５１号公報
【特許文献２】特開平３−１１８１９６号公報
【特許文献３】実用新案登録第３１４５４２０号公報
【考案の概要】
【考案が解決しようとする課題】
【０００４】
ところが、この種の従来のシステム電子手帳は、電子情報処理部材を複数のバインダ部材に分割して配設させているから、全体としての構成が大型になると共に、使い勝手が悪いために当該電子情報処理部の情報処理機能をユーザが充分に活用できない問題がある。
【０００５】
本考案は以上の点を考慮してなされたもので、ユーザが携帯型情報処理装置を身近な所持品として実用的に活用できるようにコンパクトにまとめることができるようにしたシステム電子手帳を提案しようとするものである。
【課題を解決するための手段】
【０００６】
かかる課題を解決するため本考案においては、表面シート部材２Ａ及び裏面シート部材２Ｂ間に、システム手帳用紙７と、携帯型情報処理装置８、１１を保持する携帯型情報処理装置用台紙１３とをバインダ３によって綴じ込む構成のシステム手帳本体２を有する構成を基本構成として、携帯型情報処理装置用台紙１３は、バインダ３に係止されるバインダ取付孔１３Ａをバインダ３に綴じ込んだとき、バインダ取付孔とほぼ平行に形成された溝を有し、又は折曲り抗力が小さい材料でなるヒンジ機構によって厚み方向に折れ曲ることにより、保持された携帯型情報処理装置８、１１をほぼ平行になるように表面シート部材２Ａ及び裏面シート部材２Ｂ間に保持させる。
【０００７】
また上記基本構成に加えて、携帯型情報処理装置用台紙１３は、バインダ取付孔１３Ａをバインダ３に綴じ込んだ状態で、バインダ取付孔１３Ａとほぼ平行に形成され溝を有し、又は折曲り抗力の小さい材料でなるヒンジ機構１５によって厚み方向に折れ曲るように構成され、ユーザがシステム手帳本体２の表面シート部材２Ａを裏面シート部材２Ｂから開くように裏面シート部材２Ｂの後ろ側に折り返したとき、携帯型情報処理装置用台紙１３は、ヒンジ機構１５によって厚み方向に折れ曲ることにより、携帯型情報処理装置８、１１を裏面シート部材２Ｂの面上に露出させるように保持させる。
【考案の効果】
【０００８】
本考案によれば、システム手帳本体に対して表面シート部材及び裏面シート部材間に、システム手帳用紙と共に携帯型情報処理装置を保持する携帯型情報処理装置用台紙を綴じ込むようになされたシステム電子手帳において、携帯型情報処理装置用台紙にその長さ方向と交差する方向にヒンジ機構を設けることによって、表面シート部材を裏面シート部材に対して閉じた状態において、保持した携帯型情報装置を表面シート部材及び裏面シート部材間に無駄な空間を形成させないようにでき、また表面シート部材を裏面シート部材の後ろ側に折り返した状態において、携帯型情報処理装置を裏面シート部材の面上にユーザが使用し易い状態で露出させるようにできる。
【図面の簡単な説明】
【０００９】
【図１】第１の実施の形態のシステム電子手帳を示す斜視図である。
【図２】（Ａ）及び（Ｂ）はスマートフォン保持部の平面構成及び断面構成を示す平面図及び側面図である。
【図３】スマートフォン台紙を示す側面図である。
【図４】ヒンジ機構を示す拡大側面図である。
【図５】システム手帳本体を閉じた状態のシステム電子手帳を示す側面図である。
【図６】ヒンジ機構を持たない対比例を示す側面図である。
【図７】裏面シート部材の折り返し機能の説明に供する略線図である。
【図８】折り返し使用状態を示す略線的側面図である。
【図９】ヒンジ機構を持たない対比例を示す側面図である。
【図１０】（Ａ）及び（Ｂ）は第３の実施の形態においてシステム手帳本体を閉じた状態及び折り返し使用状態を示す側面図である。
【図１１】第４の実施の形態のシステム電子手帳を示す側面図である。
【図１２】フレキシブルヒンジ機構を示す拡大側面図である。
【図１３】第５の実施の形態を示す側面図である。
【図１４】ヒンジ機構の構成を示す部分的側面図である。
【図１５】ヒンジ機構の折曲り動作の説明に供する拡大側面図である。
【図１６】第６の実施の形態のヒンジ機構を示す拡大側面図である。
【図１７】折曲り動作の説明に供する拡大側面図である。
【図１８】（Ａ）及び（Ｂ）はヒンジ機構の変形例を示す拡大側面図である。
【図１９】（Ａ）、（Ｂ）及び（Ｃ）はヒンジ機構の変形例を示す側面図である。
【図２０】（Ａ）及び（Ｂ）はフレキシブルヒンジ機構の変形例を示す拡大側面図である。
【図２１】（Ａ）及び（Ｂ）は第7の実施の形態のシステム電子手帳を示す平面図及び側面図である。
【図２２】（Ａ）及び（Ｂ）は図２１のスマートフォン台紙１３の詳細構成を示す平面図及び側面図である。
【図２３】（Ａ）及び（Ｂ）は折返し動作の説明に供する側面図である。
【図２４】第２の折曲げ溝を持たない対比例を示す側面図である。
【図２５】第８の実施の形態を示す略線的側面図である。
【図２６】（Ａ）及び（Ｂ）はスマートフォン本体の使用状態の説明に供する略線的側面図である。
【図２７】（Ａ）及び（Ｂ）はスマートフォン台紙の説明に供する略線的平面図及び拡大断面図である。
【考案を実施するための形態】
【００１０】
以下図面について、本考案の一実施の形態を詳述する。
【００１１】
（１）第１の実施の形態
図１において、１は全体としてシステム電子手帳を示し、システム手帳本体２の表面シート部材２Ａ及び裏面シート部材２Ｂの接合部２Ｃに設けられたバインダ３の複数例えば６本の開閉式リング４にカレンダ予定記入用紙５及びノート記入用紙６でなるシステム手帳用紙７がめくり自在に綴じ込まれている。
【００１２】
表面シート部材２Ａ及び裏面シート部材２Ｂは矩形シート状の合成樹脂材料でなる縫製品（縫製糸で縫い合わせることができる素材でなる）によって構成され、バインダ３は設けられている接合部２Ｃの位置において表面シート部材２Ａ及び裏面シート部材２Ｂの内側表面がシステム手帳用紙７に向けて閉じ込みレバー９及び係止ボタン９Ａを用いて閉じたり開いたりすることにより、システム手帳本体２が手帳機能を実現できるようになされている。
【００１３】
この実施の形態の場合、システム手帳用紙７と裏面シート部材２Ｂとの間にスマートフォン保持部８が設けられている。
【００１４】
スマートフォン保持部８は、図２に示すように、スマートフォン本体１１を裏面シート部材２Ｂの内側表面に着脱自在に保持するもので、市販のスマートフォン本体１１を嵌め込み保持するスマートフォンケース１２をスマートフォン台紙１３の表面に対して接着層材１４によって一体に取り付けられている。
【００１５】
この実施の形態の場合、スマートフォン台紙１３は剛性を有する合成樹脂材料でなる薄い板材料で構成されており、当該板材料に同様に合成樹脂材料であるポリカーボネイト材料で構成されたスマートフォンケース１２の裏面をウレタンジェル材料で構成される接着層材１４によって一体に接着されている。
【００１６】
スマートフォン台紙１３の接合部２Ｃ側の内側端部には６個のバインダ取付孔１３Ａが穿設され、当該バインダ取付孔１３Ａをシステム手帳本体２のバインダ３の開閉式リング４に挿通させることにより、スマートフォン台紙１３がシステム手帳用紙７と同様に表面シート部材２Ａ及び裏面シート部材２Ｂに対して開閉自在に綴じ込むことができるようになされている。
【００１７】
かかる構成に加えて、スマートフォン台紙１３には、図３に示すように、バインダ取付孔１３Ａが形成されたバインダ取付孔領域１３Ｂと、スマートフォンケース１２が取り付けられるスマートフォン取付領域１３Ｃとの間に、ヒンジ機構１５が形成されている。
【００１８】
この実施の形態の場合、ヒンジ機構１５は、図４に示すように、板厚Ｗ１＝１［ｍｍ］のスマートフォン台紙１３に対して両面からＶ字状の溝１５Ａ１及び１５Ａ２を中心位置に厚さＷ２（＝０．２〜０．３［ｍｍ］）の折曲部１６を残すような切れ目を形成する。
【００１９】
この構成のヒンジ機構１５は切れ目をバインダ取付孔１３Ａの配列方向にほぼ平行に沿うようにスマートフォン台紙１３の接合部２Ｃとは反対側のページめくり端部の方向（これを長さ方向と呼ぶ）と直交するスマートフォン台紙１３の幅方向全体にわたって直線的に形成されている。
【００２０】
これによりスマートフォン台紙１３は、バインダ取付孔１３Ａをバインダ３の開閉式リング４に綴じ込まれた状態で、スマートフォン台紙１３のスマートフォン取付領域１３Ｃに厚み方向に力が加えられたとき、当該押圧力に応じて上下方向に折れ曲るように変形できる。
【００２１】
以上の構成において、ユーザは、裏面シート部材２Ｂにスマートフォンケース１２を接着層材１４によって接着保持させると共に、スマートフォン本体１１をシステム手帳用紙７と同様の態様でシステム手帳本体２内に綴じ込んだ状態で常に身近なシステム手帳１の部材としてスマートフォン本体を持ち運ぶことができ、従って必要なときにはシステム手帳本体２を開いてスマートフォン本体１１を操作することによりカレンダ予定記入用紙５及びノート記入用紙６の記入内容を使いながらスマートフォン本体１１の電子情報処理機能を利用することができる。
【００２２】
かくするにつき、システム手帳本体２を図５に示すように閉じた状態にしたとき、スマートフォン台紙１３のスマートフォン取付領域１３Ｃが裏面シート部材２Ｂの面に触れた状態で当該面に沿ってほぼ平行な状態で位置決めされることにより、所定の厚さを有するスマートフォン本体１１を保持しているスマートフォン保持部８がヒンジ機構１５が折れ曲り動作することによりバインダ取付孔領域１３Ｂを介してバインダ３の開閉式リング４によって無理なく係止される。
【００２３】
このようにスマートフォン保持部８が裏面シート部材２Ｂに沿って位置決め保持されていることにより、同じようにバインダ３の開閉式リング４に綴じ込まれているシステム手帳用紙７もスマートフォン保持部８上に無理なく重なり合いながらバインダ３によって係止される。
【００２４】
かくして、スマートフォン保持部８及びシステム手帳用紙７が裏面シート部材２Ｂ及び表面シート部材２Ａ間に無理なく積み重なるようにヒンジ機構１５が適応動作することにより、裏面シート部材２Ｂ及び表面シート部材２Ａ間の容積部分に無駄な空間を形成させることなく空間を最小限の占有容積に抑えることができている。
【００２５】
従ってユーザはスマートフォン保持部８をコンパクトに綴じ込んだシステム手帳本体２を手に馴染んだ身近な所持品として常時所持して歩くことができる。
【００２６】
図５について上述した動作態様で動作する実施の形態との対比例として、図６に示すようにヒンジ機構を持たないシステム電子手帳１Ｘを示せば、図６の場合はスマートフォン台紙１３Ｘとして、スマートフォン取付領域１３ＣＸとバインダ取付孔領域１３ＢＸとの間に図５について上述したヒンジ機構１５を持たないので、スマートフォン台紙１３Ｘがバインダ取付孔領域１３ＢＸに穿設されたバインダ取付孔１３ＡＸがバインダ３の開閉式リング４に係止されていることによりスマートフォン取付領域１３ＣＸの先端だけが裏面シート部材２Ｂの内側面に当接した状態になるため、スマートフォン台紙１３が裏面シート部材２Ｂに沿わずに浮いた状態に係止されることになる。
【００２７】
このとき所定の厚さを有するスマートフォン保持部８Ｘが裏面シート部材２Ｂに沿うように位置決めされることはないので、スマートフォン保持部８Ｘのバインダ３側の端部はスマートフォン保持部８Ｘと同様に開閉式リング４に綴じ込まれているシステム手帳用紙７を表面シート部材２Ａ側に押し上げるような動作をする。
【００２８】
この結果システム手帳本体２の内部空間におけるスマートフォン保持部８Ｘとシステム手帳用紙７との占有容積はスマートフォン台紙１３Ｘが裏面シート部材２Ｂから浮いて無駄な空間ＳＰ１が形成されることになると共に、システム手帳用紙７がスマートフォン保持部８Ｘによって厚み方向に押し上げられることにより、スマートフォン保持部８Ｘとシステム手帳用紙７との間に無駄な空間ＳＰ２が生じることを避け得なくなるため、システム手帳本体２内の占有容積を一段と厚くすることになる。
【００２９】
このことは閉じた状態にあるシステム手帳本体２の厚みが無駄に部厚くなることにより、ユーザが身近な所持品として持ち歩くのに不便さが生じることになる。
【００３０】
この点において図５の実施の形態のスマートフォン台紙１３が一段と実用性が高いことを意味する。
【００３１】
（２）第２の実施の形態
図７は第２の実施の形態のシステム電子手帳１を示すもので、図１〜図５との対応部分に同一符号を付して示す。
【００３２】
この実施の形態の場合は、図７に示すように、システム手帳本体２の裏面シート部材２Ｂのバインダ３との接合部分２ＢＸが、バインダ３及び表面シート部材２Ａをバインダ３との接合部分２ＡＸを中心として裏側に折り返すことができるように柔軟性をもつように構成されている。
【００３３】
かくしてユーザは、裏面シート部材２Ｂの内側表面に取り付けられているスマートフォン保持部８のスマートフォン本体１１を使用して情報処理をしたり携帯電話機能を利用しようとしたりする際には、システム手帳本体２の表面シート部材２Ａ及びバインダ３を接合部分２ＡＸを中心として外側に開くように回動操作することにより、表面シート部材２Ａ及びシステム手帳用紙７を裏面シート部材２Ｂの裏側に折り返していくような処理を実行する。
【００３４】
このとき表面シート部材２Ａ（従ってバインダ３）は、閉じた位置２Ａ１から回動した位置２Ａ２、２Ａ３、２Ａ４……に移動して行き、ほぼ裏面シート部材２Ｂの表面と対向する位置２ＡＮまで折り返して行くことができる。
【００３５】
このときバインダ３の開閉式リング４に綴じ込まれているシステム手帳用紙７はそれ自体厚み方向に柔軟性をもっているので、図８に示すように開閉式リング４から折り返された表面シート部材２Ａ及びこれに連接しているバインダ３の折曲り形状に沿って折り返すことができるのに対して、スマートフォン台紙１３は剛性をもっているので、バインダ取付孔領域１３Ｂは開閉式リング４からバインダ３の開閉式リング４近傍の折曲り形状部分に一部干渉しながら裏面シート部材２Ｂの表面側に突出する。
【００３６】
その突出端にはヒンジ機構１５を介してスマートフォン取付領域１３Ｃがあるので、当該スマートフォン取付領域１３Ｃは裏面シート部材２Ｂの露出された内側表面に沿ってほぼ平行になじむように展開する。
【００３７】
ここで、スマートフォン台紙１３は、ユーザが表面シート部材２Ａを折り返し操作をしたとき、剛性をもちながらもヒンジ機構１５の折れ曲り動作によって裏面シート部材２Ｂの折れ曲り形状に馴染んだような形態で裏面シート部材２Ｂの内側表面上に残ることになる。
【００３８】
かくしてユーザは、表面シート部材２Ａを裏面シート部材２Ｂから開いた状態から裏側に折り返すことによりほぼ半分の大きさに折り返した状態において、裏面シート部材２Ｂ上に馴染んだ形態で保持されるスマートフォン保持部８従ってスマートフォン本体１１を利用して例えば電話機能を使用する場合には、無理なく耳をシステム手帳本体２に押し付けたような状態でスマートフォン本体１１を使用することができる。
【００３９】
図９は、図８について上述した実施の形態における折り返し使用の構成に対する対比例として、スマートフォン台紙１３としてヒンジ機構１５を持たない場合の構成を示したもので、この場合のシステム電子手帳１Ｙは表面シート部材２Ａを裏面シート部材２Ｂの後ろ側に折り返したとき、バインダ３の開閉式リング４に綴り込まれたスマートフォン台紙１３は、ヒンジ機構１５を持たないために、表面シート部材２Ａの折り返し操作によって外部に露出した状態のスマートフォン台紙１３が折り返されたバインダ３近傍の裏面シート部材２Ｂに干渉するために、スマートフォン台紙１３の突出端が裏面シート部材２Ｂの表面から浮き上がって間に空間が形成された状態（例えば２５度程度の角度で上方に突出する状態）になる。
【００４０】
この状態でユーザがスマートフォン保持部８に保持されているスマートフォン本体１１の電話機能を利用して通話をしようとする場合、スマートフォン保持部８が裏面シート部材２Ｂの表面から浮いた状態にあるため、安定な状態で耳を押し当てることができないような不安定な状態で通話をせざるを得なくなり、極めて使い勝手が悪い。
【００４１】
このような問題は図８の実施の形態のように、ヒンジ機構１５を利用してスマートフォン台紙１３のスマートフォン取付領域１３Ｃが裏面シート部材２Ｂの表面にほぼ平行になるように馴染むように落ち着くような構成による効果を、図９の構成によっては得ることができず、この分図８の実施の形態の構成の方が一段とシステム電子手帳１の活用度が大きくなる。
【００４２】
（３）第３の実施の形態
図１０（Ａ）及び（Ｂ）は第３の実施の形態を示すもので、図５及び図８との対応部分に同一符号を付して示すように、この場合システム手帳本体２に綴じ込むべきシステム手帳用紙７が大量で分厚いために、当該大量のシステム手帳用紙７を綴じ込むための開閉式リング４の外形が大きくなった場合を示す。
【００４３】
この場合にも、図１０（Ａ）に示すようにシステム手帳本体２を閉じた状態では、スマートフォン台紙１３のバインダ取付孔領域１３Ｂとスマートフォン取付領域１３Ｃとの境界に設けられたヒンジ機構１５が折れ曲ることにより、システム手帳用紙７によってスマートフォン保持部８従ってスマートフォン本体１１が裏面シート部材２Ｂの面に押し付けられ、これにより、スマートフォン保持部８の周囲に図６に対比例として示したような無駄な空間ＳＰ１及びＳＰ２を形成させないようにできる。
【００４４】
これに加えて図１０（Ｂ）に示すように、表面シート部材２Ａを裏面シート部材２Ｂの後ろ側に折り返したような使用状態のときは、開閉式リング４に綴じ込まれたスマートフォン台紙１３に取り付けられたスマートフォン保持部８がヒンジ機構１５が折れ曲ることにより外側に露出保持される。
【００４５】
この場合スマートフォン台紙１３のスマートフォン取付領域１３Ｃにヒンジ機構１５によって連接されたバインダ取付孔領域１３Ｂの長さは、図８について上述したシステム手帳用紙７が通常の場合のように厚みが薄いのに対して、図１０の場合は厚みが分厚くなった分、長い長さに選定されている。
【００４６】
この結果バインダ３の開閉式リング４が、システム手帳用紙７の厚さが厚くなった分これを綴じ込むために大きい外形をもっていることに対応して大きくなった分、バインダ取付孔領域１３Ｂの長さが長くなるように選定されている。
【００４７】
この結果一端を開閉式リング４に綴り込まれたスマートフォン台紙１３のバインダ取付孔領域１３Ｂは、表面シート部材２Ａが大型化したバインダ３によって大きい湾曲形状を呈するのに対して、ヒンジ機構１５が当該大きな湾曲部分から余り離れない位置で折れ曲るように動作するので、裏面シート部材２Ｂのスマートフォン取付領域１３Ｃを裏面シート部材２Ｂからあまり離れない位置においてほぼ平行な状態で保持させることができる。
【００４８】
この結果スマートフォン取付領域１３Ｃに取り付けられているスマートフォン保持部８従ってスマートフォン本体１１は、裏面シート部材２Ｂに沿うようにほぼこれと平行な状態で裏面シート部材２Ｂの面上に保持されることになる。
【００４９】
かくして図１０のように表面シート部材２Ａ及び裏面シート部材２Ｂ間に分厚いシステム手帳用紙７が綴り込まれた場合にも、表面シート部材２Ａ及び裏面シート部材２Ｂ間に無駄な空間を形成することなくコンパクトに閉じることができると共に、表面シート部材２Ａを裏面シート部材２Ｂの後ろ側に折り返してスマートフォン保持部８に保持されたスマートフォン本体１１を外側に露出させて使用する場合にも、スマートフォン本体１１を裏面シート部材２Ｂから無用に浮き上がらせるようなことなく従ってユーザが使い易い状態でスマートフォン本体１１の機能を利用する（例えば無理なく耳をスマートフォン本体に押し付けて利用する）ことができる。
【００５０】
かくして図１０の実施の形態の場合も実用性が大きな機能をもったシステム電子手帳を実現できる。
【００５１】
（４）第４の実施の形態
図１１は、第４の実施の形態を示すもので、図１０との対応部分に同一符号を付して示すように、図１１の場合は分厚いシステム手帳用紙７の厚さに対応するように、バインダ取付孔領域１３Ｂの長さを選するようにしたが、これに代え、ヒンジ機構１５として、図１２に示すように、スマートフォン台紙１３のバインダ取付孔領域１３Ｂ側からスマートフォン取付領域１３Ｃの先端部に向う方向（これを長さ方向と呼ぶ）に向って複数のＶ字状溝２２Ａ１１を並べるようにスマートフォン台紙１３の両面に設けた構成のフレキシブルヒンジ機構２２Ａを用いる。
【００５２】
図１１及び図１２の構成によれば、表面シート部材２Ａを裏面シート部材２Ｂの後ろ側に折り返したとき、フレキシブルヒンジ機構２２Ａは、複数のＶ字状溝２２Ａ１１ごとに裏面シート部材２Ｂの曲り形状に沿って徐々に折れ曲って行く。
【００５３】
この結果スマートフォン台紙１３のスマートフォン取付領域１３Ｃはスマートフォン保持部８に従ってスマートフォン本体１１を裏面シート部材２Ｂの面上に沿うようにほぼ平行な形態に保持させることができ、これによりユーザは表面シート部材２Ａ及びシステム手帳用紙７を折り返した状態において、表面に露出したスマートフォン本体に対して例えば耳を直接押し当てて電話機能を使用することができるような実行的な機能を活用し得るシステム電子手帳１を実現できる。
【００５４】
（５）第５の実施の形態
図１３は第５の実施の形態によるシステム電子手帳１を示すもので、この場合のスマートフォン台紙１３はそれ自体厚み方向に折れ曲り易い革材料で構成されている。
【００５５】
この実施の形態の場合、バインダ取付孔領域１３Ｂ及びスマートフォン取付領域１３Ｃは図１４に示すように折曲げ抗力が比較的大きい革材料で構成されているのに対して、これらを連接するヒンジ機構１５は折曲げ抗力が比較的小さい革材料でなるヒンジ部材２３が、スマートフォン台紙１３の長手方向の両端部をミシン糸２４Ａ及び２４Ｂによってそれぞれバインダ取付孔領域１３Ｂ及びスマートフォン取付領域１３Ｃの革部材に縫い付けられている。
【００５６】
以上の構成において、図１１について上述したと同様に表面シート部材２Ａが裏面シート部材２Ｂの後ろ側に折り曲げられたとき、図１５に示すように、折曲げ抗力が小さいヒンジ部材２３が裏面シート部材２Ｂの折曲り隆起部分に沿うように折れ曲ることができることにより、スマートフォン保持部８が取り付けられたスマートフォン取付領域１３Ｃが裏面シート部材２Ｂに沿うようにほぼこれと平行になるような態様に保持され、これによりスマートフォン保持部８、従ってスマートフォン本体１１がユーザが操作し易いように外方に露出保持される。
【００５７】
従ってユーザは、スマートフォン保持部８に保持されているスマートフォン本体１１を無理なく使用することができ、かくして実用性の大きいシステム電子手帳１を実現できる。
【００５８】
（６）第６の実施の形態
図１６は第６の実施の形態におけるヒンジ機構１５を示すもので、この実施の形態の場合スマートフォン台紙１３は、折曲げ抗力が比較的小さい第１の革製材層２５Ａと折曲げ抗力が比較的大きい第２の革製材層２５Ｂとが２層に接着された構成を有し、第２の革製材層２５Ｂのヒンジ機構１５に相当する部分が切り取り除去されると共に、当該切取り空間２６の両端縁にある第１及び第２の革製材層２５Ａ及び２５Ｂがミシン糸２７Ａ及び２７Ｂによって縫い付けられている。
【００５９】
かくしてヒンジ機構１５を形成する切取り空間２６には、折曲げ抗力が比較的小さい第１の革製材層２５Ａだけによって構成されていることにより、図１１について上述したと同様に表面シート部材２Ａが裏面シート部材２Ｂの後ろ側に折り返されたとき、図１７に示すように、スマートフォン台紙１３はヒンジ機構１５において裏面シート部材２Ｂの折れ曲り部分に沿うように折り曲げられることにより、スマートフォン保持部８が取り付けられているスマートフォン取付領域１３Ｃが全体として折れ曲るような動作をする。
【００６０】
かくしてスマートフォン取付領域１３Ｃに取り付けられたスマートフォン保持部８、従ってスマートフォン本体１１は裏面シート部材２Ｂとほぼ平行な状態に保持されることにより、ユーザがスマートフォン本体を実用性良く使い易い態様に保持できるようなシステム電子手帳１を実現できる。
【００６１】
（７）第７の実施の形態
図２１は第７の実施の形態を示すもので、図１〜図８との対応部分に同一符号を付して示すように、システム手帳本体２の裏面シート部材２Ｂと表面シート部材２Ａとの間に綴じ込まれたスマートフォン台紙１３に、接着層材１４を介してスマートフォン本体１１が接着保持されている。
【００６２】
スマートフォン台紙１３は、図２２に示すように、バインダ取付孔１３Ａと接着層材１４との間の領域に、バインダ取付孔１３Ａの配列方向にほぼ平行に沿うように、第１の折曲げ溝１５Ｘ１及び第２の折曲げ溝１５Ｘ２でなるヒンジ機構１５が設けられている。
【００６３】
この実施の形態の場合、第１及び第２の折曲げ溝１５Ｘ１及び１５Ｘ２は、図２２（Ｂ）に示すように、スマートフォン本体１１が取り付けられている内側表面とは反対側の外側（図２２（Ｂ）において下側）の表面に、ほぼＶ字形状に切り込まれた切込み溝を有し、これによりスマートフォン台紙１３が第1及び第２の折曲げ溝１５Ｘ１及び１５Ｘ２の位置で厚み方向に折れ曲がることができるようになされている。
【００６４】
かかる構成に加えて、スマートフォン台紙１３の第１の折曲げ溝１５Ｘ１近傍であってバインダ取付孔１３Ａ側の位置に、当該バインダ取付孔１３Ａとほぼ平行になるように複数例えば４本の保護用突子３１を配列してなる保護用壁部材３２がスマートフォン台紙１３から内表面側に突出するように植立されている。
【００６５】
以上の構成において、接着層材１４によってスマートフォン本体１１を取り付けてなるスマートフォン台紙１３は、ユーザの挿入操作によって、そのバインダ取付孔１３Ａをバインダ３の開閉式リング４に嵌め込むことにより、スマートフォン本体１１をシステム手帳用紙７と裏面シート部材２Ｂとの間に、バインダ３にシステム手帳本体２の一部の部品として綴じ込む。
【００６６】
これによりユーザは、スマートフォン本体１１をシステム電子手帳１の一部の身近な所持品として持ち運びながら、裏面シート部材２Ｂを表面シート部材２Ａから開くことによってスマートフォン機能を利用できる。
【００６７】
ここで、ユーザは、スマートフォン台紙１３をバインダ３に綴じ込む前に、接着層材１４上にスマートフォン本体１１を取付け保持させるが、スマートフォン本体１１をスマートフォン本体１１のバインダ３側の端縁が保護用壁部材３２に当接させる状態に位置決めすれば良く、このように保護用壁部材３２を位置決め手段として利用することにより、スマートフォン本体１１のバインダ３側の端縁を、ヒンジ機構１５が十分な折曲げ効果を生ずるような最適正な位置に位置決めすることができる。
【００６８】
またユーザは、スマートフォン台紙１３をバインダ３の開閉式リング４に綴じ込むときに、バインダ３の開閉式リング４を開いた状態で、スマートフォン台紙１３の保護用壁部材３２を手がかりにして、スマートフォン台紙１３のバインダ取付孔１３Ａを、開閉式リング４に位置合わせしながら開閉式リング４を閉じる操作をしてバインダ３にスマートフォン台紙１３を綴じ込む。
【００６９】
このような操作をするに当って、ユーザは、保護用壁部材３２の保護用突子３１に指をあてながらバインダ３の開閉式リング４にバインダ取付孔１３Ａを閉めるような操作をすることができることにより、このときユーザは不用意に指を開閉式リング４に近づけないように綴じ込み操作をすることができ、これにより不用意に指を開閉式リング４に挟み込んで怪我をするような恐れを有効に回避できる。
【００７０】
これと共に、以上の構成によれば、図２３（Ａ）に示すように、表面シート部材２Ａを裏面シート部材２Ｂの裏側に折り返すことにより、スマートフォン本体１１を裏面シート部材２Ｂの表面上に露出させてスマートフォン本体１１を情報処理操作をしたり、耳に押し立てて携帯電話として使用したりすることができる。
【００７１】
このように表面シート部材２Ａを裏側に折り返したとき、スマートフォン台紙１３はバインダ３の開閉式リング４にバインダ取付孔１３Ａを綴じ込んだ状態で第１の折曲げ溝１５Ｘ１が裏面シート部材２Ｂ側に折れ曲がる。
【００７２】
これによりスマートフォン本体１１を裏面シート部材２Ｂに沿うようにこれとほぼ平行な方向に露出させることができる。
【００７３】
このとき、図２３（Ｂ）に示すように、表面シート部材２Ａが裏面シート部材２Ｂの方向の深い位置にまでさらに折り返されると、スマートフォン台紙１３の第１の折曲げ溝１５Ｘ１と共に第２の折曲げ溝１５Ｘ２までが表面シート部材２Ａ側に折れ曲がることにより、スマートフォン台紙１３はスマートフォン本体１１が深く折返し動作するに従って裏面シート部材２Ｂの折れ曲り動作に馴染むように、裏面シート部材２Ｂとほぼ平行に沿うような状態に折れ曲がる。
【００７４】
因みに、このように表面シート部材２Ａが裏面シート部材２Ｂに対して深く折返し動作をするのは、システム手帳本体２がユーザの繰り返される折返し操作の結果一段としなやかに折り返されるようになったときに生ずる現象であるが、スマートフォン台紙１３の第２の折り曲げ溝１５Ｘ２はこのようなしなやかな動作に対応してスマートフォン本体１１を、ユーザが使い易い状態に露出させることができる。
【００７５】
当該第７の実施の形態のように、２つの折曲げ溝１５Ｘ１及び１５Ｘ２を設けた場合と比較して、図２４に示すように、第１の折曲げ溝１５Ｘ１だけを設けたような場合には、表面シート部材２Ａを裏面シート部材２Ｂに平行になる折れ曲がり方よりさらに深く折り曲げると、バインダ取付孔１３Ａと当該第１の折曲げ溝１５Ｘ１との間のスマートフォン台紙１３の一部１３Ｄがバインダ３が、設けられている表面シート部材２Ａと裏面シート部材２Ｂとの折返し部分２Ｘが干渉して曲がろうとしないからである。
【００７６】
この問題を、第７の実施の形態のスマートフォン台紙１３は、第２の折曲げ溝１５Ｘ２を設けることにより、バインダ３の折返し動作に従って柔軟に折れ曲がることができ、これによりユーザが裏面シート部材２Ｂに沿うようにスマートフォン本体１１を露出させることができることによりスマートフォン本体１１を一段と使い易くなるようなシステム手帳１を実現できる。
【００７７】
因みに、使用し始めたばかりの新しいシステム手帳本体２の接合部２Ｃは、表面シート部材２Ａを折り返した際に固さがあるが、ユーザが使用を繰り返すことにより馴染んで来ると、接合部２Ｃがしなやかに折れ曲るようになる。
【００７８】
このような状態になったとき、第２の折曲げ溝１５Ｘ２が折曲げ動作することにより、スマートフォン本体１１が、深く折り返された状態の裏面シート部材２Ｂにほぼ平行に沿うように、露出する状態に維持される。
【００７９】
（８）第８の実施の形態
図２５は第８の実施の形態を示すもので、図２１との対応部分に同一符号を付して示すように、スマートフォン台紙１３は、第１及び第２の折曲げ溝１５Ｘ１及び１５Ｘ２をもつヒンジ機構１５を有し、表面シート部材２Ａを裏面シート部材２Ｂから開いて、例えば机の表面４１上に裏面シート部材２Ｂ及び表面シート部材２Ａをほぼ水平方向に広げることができるようになされている。
【００８０】
この状態において、ユーザがスマートフォン本体１１をバインダ３を中心として矢印ａで示すように、上方に立ち上がる姿勢に引き起すように回動させると、スマートフォン台紙１３は、ヒンジ機構１５の第１及び第２の折曲げ溝１５Ｘ１及び１５Ｘ２の位置で折れ曲りながら、スマートフォン本体１１をシステム手帳用紙７、従って裏面シート部材２Ｂ及び表面シート部材２Ａの表面から縦方向に立設させた状態になる。
【００８１】
この状態になると、ヒンジ機構１５の第１及び第２の折曲げ溝１５Ｘ１及び１５Ｘ２は、図２６（Ａ）及び（Ｂ）に示すように、スマートフォン本体１１のバインダ３側の下端部をシステム手帳用紙７に対接させた状態でスマートフォン本体１１をシステム手帳用紙７から上方に立ち上がる姿勢の状態に保持させる。
【００８２】
このときヒンジ機構１５の第１の折曲げ溝１５Ｘ１は、図２６（Ａ）に示すように、折れ曲らずに、第２の折曲げ溝１５Ｘ２だけが折れ曲り動作した状態でスマートフォン本体１１を立設保持でき、ないし図２６（Ｂ）に示すように、第１及び第２の折曲げ溝１５Ｘ１及び１５Ｘ２が共に折れ曲り動作するような状態で立設保持できる。
【００８３】
かくしてヒンジ機構１５はスマートフォン本体１１をシステム手帳用紙７に対して立設した状態に維持できることにより、ユーザは当該立設した状態にあるスマートフォン本体１１の操作面を目視しながら情報処理操作に使用することができる。
【００８４】
これにより、図２５及び２６の構成によれば、システム手帳本体２に綴じ込んだスマートフォン本体１１を一段と簡便に利用できることになる。
【００８５】
この実施の形態の場合、スマートフォン台紙１３に設けられた第１及び第２のヒンジ機構１５Ｘ１及び１５Ｘ２は、図２７に示すように、スマートフォン台紙１３の両面に、バインダ取付孔１３Ａの配列方向と直交する方向に幅広なＵ字状凹部４２を形成している。
【００８６】
このＵ字状凹部４２は、バインダ取付孔１３Ａの配列方向と直交する方向に延長する平坦部４２Ａを形成し、その両端縁を傾斜部４２Ｂを介してスマートフォン台紙１３の表面及び裏面に続くような形状を有する。
【００８７】
かくしてＵ字状凹部４２は平坦部４２Ａが比較的幅広であることから、スマートフォン本体１１が裏面シート部材２Ｂから上方に立ち上がる姿勢に引き起こされたとき、スマートフォン本体１１の下端部がシステム手帳用紙７に対接する位置がバインダ取付孔１３Ａから離れたり、近づいたりした場合に、これに対応できるような曲げ抗力をもつことができ、これにより図２６（Ａ）に示すように、第２の折曲げ溝１５Ｘ２だけが折れ曲り動作するような態様や、図２６（Ｂ）に示すように、第２の折曲げ溝１５Ｘ２と共に第１の折曲げ溝１５Ｘ１もが折れ曲るような動作をすることにより、スマートフォン本体１１を表面シート部材２Ａから上方に立ち上がった姿勢を維持できるような効果を実現できる。
【００８８】
（９）他の実施の形態
（９−１）図４について上述した実施の形態におけるヒンジ機構１５は、図４においてスマートフォン台紙１３の両面からＶ字状溝１５Ａ１及び１５Ａ２を形成するようにしたが、ヒンジ機構１５のスリットの構成としてはこれに代え、図１８（Ａ）に示すように、スマートフォン台紙１３の両面に、中央部にフラット部１６Ｂを残すようにした傾斜溝１５Ｂ１及び１５Ｂ２を形成するようにしても、充分な折曲り機能を得ることができる。
【００８９】
また、図１８（Ｂ）に示すように、スマートフォン台紙１３の両面から円弧状溝１５Ｃ１及び１５Ｃ２を形成するようにしても、図４の場合と同様の折曲り機能を有するヒンジ機構１５を実現できる。
【００９０】
（９−２）上述の実施の形態においては、システム手帳本体２にスマートフォン本体１１を綴じ込むようにした場合について述べたが、これに加えタブレットや携帯電話機など、要は携帯型情報処理装置をシステム手帳本体２内に綴じ込むような場合に広く適用することができる。
【００９１】
（９−３）図４、図１８（Ａ）及び図１８（Ｂ）の場合は、ヒンジ機構の切込み溝１５Ａ１及び１５Ａ２、１５Ｂ１及び１５Ｂ２並びに１５Ｃ１及び１５Ｃ２をスマートフォン台紙１３の両面に形成するようにした場合について述べたが、これに代え、図１９（Ａ）、（Ｂ）並びに（Ｃ）に示すように、スマートフォン台紙１３の片面だけに切込み溝１５Ａ１１、１５Ｂ１１並びに１５Ｃ１１を形成するようにしても、上述の実施の形態と同様の折り曲げ機能を実現できる。
【００９２】
（９−４）図１１及び図１２の場合のフレキシブルヒンジ機構２２Ａは、スマートフォン台紙１３の両面からＶ字状溝列を形成した構成を有する場合について述べたが、これに代え、図２０（Ａ）に示すように、スマートフォン台紙１３の両面側から図１８（Ａ）について上述したと同様のフラット部を有する切込み溝２２Ｂ１１を複数列形成したフレキシブルヒンジ機構２２Ｂを用いたり、図２０（Ｂ）に示すように、スマートフォン台紙１３の両面に図１８（Ｂ）について上述したと同様の湾曲した切込み溝２２Ｃ１１を複数列形成したフレキシブルヒンジ機構２２Ｃを用いたりするようにしても良い。
【産業上の利用可能性】
【００９３】
本考案はシステム手帳本体に情報処理機能を持たせるシステム電子手帳に利用できる。
【符号の説明】
【００９４】
１……システム電子手帳、２……システム手帳本体、２Ａ、２Ｂ……表面、裏面シート部材、３……バインダ、４……開閉式リング、５……カレンダ予定記入用紙、６……ノート記入用紙、７……システム手帳用紙、８……スマートフォン保持部、１１……スマートフォン本体、１２……スマートフォンケース、１３……スマートフォン台紙、１３Ａ……バインダ取付孔、１４……接着層材、１５……ヒンジ機構、１６……折曲げ部、１５Ａ１、１５Ａ２、１５Ｂ１、１５Ｂ２、１５Ｃ１、１５Ｃ２……切込み溝、２２Ａ、２２Ｂ、２２Ｃ……フレキシブルヒンジ機構、２３……ヒンジ部材、２４Ａ、２４Ｂ、２７Ａ、２７Ｂ……ミシン糸、２６……切取り空間、３１……保護用突子、３２……保護用壁部材、４１……机の表面、４２……Ｕ字状凹部、４２Ａ……平坦部、４２Ｂ……傾斜部。
【図１】
0003197556.tif 000003
【図２】
0003197556.tif 000004
【図３】
0003197556.tif 000005
【図４】
0003197556.tif 000006
【図５】
0003197556.tif 000007
【図６】
0003197556.tif 000008
【図７】
0003197556.tif 000009
【図８】
0003197556.tif 000010
【図９】
0003197556.tif 000011
【図１０】
0003197556.tif 000012
【図１１】
0003197556.tif 000013
【図１２】
0003197556.tif 000014
【図１３】
0003197556.tif 000015
【図１４】
0003197556.tif 000016
【図１５】
0003197556.tif 000017
【図１６】
0003197556.tif 000018
【図１７】
0003197556.tif 000019
【図１８】
0003197556.tif 000020
【図１９】
0003197556.tif 000021
【図２０】
0003197556.tif 000022
【図２１】
0003197556.tif 000023
【図２２】
0003197556.tif 000024
【図２３】
0003197556.tif 000025
【図２４】
0003197556.tif 000026
【図２５】
0003197556.tif 000027
【図２６】
0003197556.tif 000028
【図２７】
0003197556.tif 000029